(57)【要約】【課題】濾過体の面積を適宜調整でき、濾過体の掃除の頻度を低減でき、使用者の負担を軽減できる電子機器を提供すること。【解決手段】電子機器としてのプロジェクタ１は、外装ケース２に連結可能で第１フィルタ２２を介した外部空気を吸気口１２に導く第１ダクト２１を有する第１フィルタユニット２０と、第２フィルタ３２を介した外部空気を第１ダクト２１に導く第２ダクト３１を有する第２フィルタユニット３０とを備える。第２フィルタユニット３０は第１フィルタユニット２０および他の第２フィルタユニット３０に連結可能で、各ダクト２１，３１には互いに連通する第１，第２連通口２６，３５が形成される。第２ダクト３１は他の第２ダクト３１の第２連通口３５を介して連通する補助連通口３６が形成される。【選択図】図３
2009025771.tif 000002
【特許請求の範囲】
【請求項１】
吸気口を有する外装筐体と、前記外装筐体内に収納され外部空気を前記吸気口から導入する冷却ファンとを備えた電子機器であって、
前記外装筐体に連結される第１濾過ユニットと、
前記第１濾過ユニットに連結可能な第２濾過ユニットと、を備え、
前記第１濾過ユニットは、前記外部空気から塵埃等を除去する第１濾過体と、該第１濾過体を介して内部に取り込んだ前記外部空気を前記吸気口に導く第１ダクトを有し、
前記第２濾過ユニットは、前記外部空気から塵埃等を除去する第２濾過体と、該第２濾過体を介して取り込んだ前記外部空気を前記第１濾過ユニットに導く第２ダクトを有し、
前記第１ダクトおよび前記第２ダクトには、互いに連結した状態で連通する第１連通口および第２連通口がそれぞれ形成され、
前記第２ダクトには、他の第２濾過ユニットと連通可能とする補助連通口が形成されていることを特徴とする電子機器。
【請求項２】
請求項１に記載の電子機器において、
前記第２濾過ユニットは、前記第１濾過ユニットに対して、前記吸気口の中心軸に略直交する方向に連結可能とし、
前記第１ダクトは、前記第１濾過ユニットを前記外装筐体に固定するための複数の固定部を有し、
前記複数の固定部は、前記吸気口の中心軸周りに略９０度の回転対称位置に設けられていることを特徴とする電子機器。
【請求項３】
請求項１または請求項２に記載の電子機器において、
前記第１濾過ユニットは、前記第１連通口を閉塞可能とする第１遮蔽部材を有し、
前記第１遮蔽部材は、前記第１連通口を閉塞する閉位置、および前記第１ダクト内部に回動して前記第１連通口を開放する開位置に回動自在に取り付けられ、
前記第２ダクトには、前記第１ダクトと前記第２ダクトとが互いに連結した状態で、前記第１遮蔽部材を前記開位置に押圧して回動させる押圧部材が形成され、
前記第２濾過ユニットは、前記補助連通口を閉塞可能とする第２遮蔽部材を有し、
前記第２遮蔽部材は、前記補助連通口を閉塞する閉位置、および前記第２ダクト内部に回動して前記補助連通口を開放する開位置に回動自在に取り付けられ、前記第２濾過ユニットと前記他の第２濾過ユニットとが互いに連結した状態で、前記他の第２ダクトに形成された他の押圧部材によって前記開位置に回動されることを特徴とする電子機器。
【請求項４】
請求項１から請求項３のいずれかに記載の電子機器において、
当該電子機器は、光源と、光源から射出された光を、入力される画像情報に応じて変調して光学像を形成する光変調装置と、形成された光学像を拡大投射する投射光学装置とを備えたプロジェクタであることを特徴とする電子機器。
【発明の詳細な説明】
【技術分野】
【０００１】
本発明は、吸気口を有する外装筐体と、外装筐体内に収納され外部空気を吸気口から導入する冷却ファンとを備えた電子機器に関する。
【背景技術】
【０００２】
従来、筐体内部に電子部品等が収納された電子機器であって、電子部品等を空冷するための吸気ファンと、この吸気ファンにより吸気された空気から塵埃等を除去するためのフィルタとを備えた電子機器が知られている（例えば、特許文献１参照）。
この特許文献１に記載のプロジェクタでは、外装ケースに形成された空気取入口に、第１フィルタが設けられている。また、第１フィルタよりも広面積の第２フィルタを有するフィルタユニットが、第１フィルタの外側から空気取入口を覆うように外装ケースに設けられている。このような構成によれば、第２フィルタの方が第１フィルタよりも広面積なので、フィルタユニットを取り付ければ、フィルタが目詰まりするまでの時間が長くな  る。
【０００３】
【特許文献１】特開２００４−１５７３４７号公報
【発明の開示】
【発明が解決しようとする課題】
【０００４】
しかしながら、前記特許文献１に記載のプロジェクタでは、濾過体としてのフィルタの面積を、フィルタユニットを取り付ける場合と、取り付けない場合との２通りにしか変更することができず、空気中の塵埃の濃度に応じたフィルタの面積を選択するということができない。このため、フィルタユニットに設けられた第２フィルタの面積を必要以上に広くしておかなければならなかったり、さらに塵埃濃度の高い空気中で使用する場合にはフィルタユニットを取り付けた状態であってもフィルタの掃除の頻度を十分に低減させることができなかったりするという問題がある。
【０００５】
本発明の目的は、濾過体の面積を適宜調整でき、濾過体の掃除の頻度を低減でき、使用者の負担を軽減させることができる電子機器を提供することである。
【課題を解決するための手段】
【０００６】
本発明の電子機器は、吸気口を有する外装筐体と、外装筐体内に収納され外部空気を吸気口から導入する冷却ファンとを備えた電子機器であって、外装筐体に連結される第１濾過ユニットと、第１濾過ユニットに連結可能な第２濾過ユニットと、を備え、第１濾過ユニットは、外部空気から塵埃等を除去する第１濾過体と、第１濾過体を介して内部に取り込んだ外部空気を吸気口に導く第１ダクトを有し、第２濾過ユニットは、外部空気から塵埃等を除去する第２濾過体と、第２濾過体を介して取り込んだ外部空気を第１濾過ユニットに導く第２ダクトを有し、第１ダクトおよび第２ダクトには、互いに連結した状態で連通する第１連通口および第２連通口がそれぞれ形成され、第２ダクトには、他の第２濾過ユニットと連通可能とする補助連通口が形成されていることを特徴とする。
【０００７】
本発明によれば、第２濾過ユニットが、第１濾過ユニットに連結可能に設けられるとともに、他の第２濾過ユニットにも連結可能に設けられているので、濾過体の面積を変更することができる。第２濾過ユニットに他の第２濾過ユニットが繰り返し連結された場合には、連結された第２濾過ユニットの数量に応じて濾過体の面積が大きくなる。
【０００８】
このような構成によれば、連結される第２濾過ユニットの数量を変えることで、容易に、各濾過体の面積の合計を変更することができるので、空気中の塵埃等の濃度条件に応じて、濾過体の面積を適宜調整することができる。特に、塵埃濃度の高い空気中で使用する場合、第２濾過ユニットの連結数を増やして、濾過体の面積を大きくすることができるので、濾過体の掃除の頻度を十分に低減させることができ、使用者の負担を軽減させることができる。
【０００９】
本発明の電子機器では、第２濾過ユニットは、第１濾過ユニットに対して、吸気口の中心軸に略直交する方向に連結可能とし、第１ダクトは、第１濾過ユニットを外装筐体に固定するための複数の固定部を有し、複数の固定部は、吸気口の中心軸周りに略９０度の回転対称位置に設けられていることが好ましい。
【００１０】
本発明によれば、第２濾過ユニットが、第１濾過ユニットに対して吸気口の中心軸に直交する方向に連結可能に設けられているので、例えば、吸気口が外装筐体の側面に設けられている場合には、吸気口の位置から正面側、上面側、背面側、下面側の４方向のいずれかの方向に第１ダクトを介して第２ダクトが配設される。さらに、第１ダクトには、第１濾過ユニットを外装筐体に固定する固定部が吸気口の中心軸周りに略９０度の回転対称位置に設けられているので、第１濾過ユニットを吸気口の中心軸周りに略９０度毎に回転させた状態で連結させることができる。従って、電子機器の使用状態に応じて、第２濾過ユニットの最適な配設方向を４方向から自由に選択することができ、電子機器の周囲空間を有効に利用することができる。
【００１１】
本発明の電子機器では、第１濾過ユニットは、第１連通口を閉塞可能とする第１遮蔽部材を有し、第１遮蔽部材は、第１連通口を閉塞する閉位置、および第１ダクト内部に回動して第１連通口を開放する開位置に回動自在に取り付けられ、第２ダクトには、第１ダクトと第２ダクトとが互いに連結した状態で、第１遮蔽部材を開位置に押圧して回動させる押圧部材が形成され、第２濾過ユニットは、補助連通口を閉塞可能とする第２遮蔽部材を有し、第２遮蔽部材は、補助連通口を閉塞する閉位置、および第２ダクト内部に回動して補助連通口を開放する開位置に回動自在に取り付けられ、第２濾過ユニットと他の第２濾過ユニットとが互いに連結した状態で、他の第２ダクトに形成された他の押圧部材によって開位置に回動されることが好ましい。
【００１２】
本発明によれば、第１遮蔽部材と押圧部材とによって、第２濾過ユニットが第１濾過ユニットに連結された状態では、押圧部材が第１遮蔽部材を第１ダクト内部に押圧して回動させるので、第１連通口が開放した状態となる。また、第２遮蔽部材と押圧部材とによって、第２濾過ユニットに他の第２濾過ユニットが連結された状態では、他の第２ダクトに形成された他の押圧部材が第２遮蔽部材を第２ダクト内部に押圧して回動させるので、補助連通口が開放した状態となる。従って、第１濾過ユニットに第２濾過ユニットを連結させるだけで、第１連通口を開放させることができ、第２濾過ユニットに他の第２濾過ユニットを連結させるだけで、補助連通口を開放させることができ、第１濾過ユニットと第２濾過ユニットとの連結作業、および第２濾過ユニットと他の第２濾過ユニットとの連結作業を容易にすることができる。また、第１濾過ユニットに第２濾過ユニットが連結されていない状態では、第１連通口は第１遮蔽部材によって閉塞され、第２濾過ユニットに他の第２濾過ユニットが連結されていない状態では、補助連通口は第２遮蔽部材によって閉塞されているので、塵埃が第１濾過ユニットの内部および第２濾過ユニットの内部に侵入するのを防止できる。
【００１３】
本発明の電子機器は、光源と、光源から射出された光を、入力される画像情報に応じて変調して光学像を形成する光変調装置と、形成された光学像を拡大投射する投射光学装置とを備えたプロジェクタであることが好ましい。
【００１４】
本発明によれば、上述した電子機器をプロジェクタとすることで、上述した効果を好適に図れる。
【発明を実施するための最良の形態】
【００１５】
以下、本発明の一実施形態を図面に基づいて説明する。
［プロジェクタ１の全体構成］
図１は、本実施形態に係るプロジェクタ１の正面図である。
プロジェクタ１は、光源から射出された光束を画像情報に応じて変調し、スクリーン等の投射面上に拡大投射する。このプロジェクタ１は、図１に示すように、略直方体状の外装ケース２、およびこの外装ケース２から露出する投射レンズ３を備え、天吊り金具１１によって天吊りされている。
投射光学装置としての投射レンズ３は、プロジェクタ１の本体部分により画像情報に応じて変調された光学像を拡大投射する。この投射レンズ３は、筒状の鏡筒内に複数のレンズが収納された組レンズとして構成される。
【００１６】
外装ケース２は、合成樹脂製の外装筐体であり、プロジェクタ１の本体部分である光学ユニットを収納する。
また、光学ユニット以外の空間には、プロジェクタ１内部を冷却する冷却ファン５を備えた冷却ユニット６、プロジェクタ１内部の各構成部材に電力を供給する電源ユニット、およびプロジェクタ１全体を制御する制御手段等が配置されている。
外装ケース２の正面には投射レンズ３が露出されており、この外装ケース２の正面から見て図１中、右側部分の側面１５には吸気口１２が形成されている。
吸気口１２には、後述するフィルタユニット１０が取り付けられている。冷却ファン５は、このフィルタユニット１０を通して外部空気を吸気口１２から外装ケース２の内部に導入する。
吸気口１２は、後述する図３に示されるように、外装ケース２の側面１５の一部が正方形状に窪んだ凹部１４内に形成されている。凹部１４の内部には、フィルタユニット１０を固定するための二つの雌ねじ部１３も構成されている。二つの雌ねじ部１３は、凹部１４の底面から突出する円筒状に形成されている。
また、凹部１４の周囲には、フィルタユニット１０を取り付けた時に、凹部１４とフィルタユニット１０間の隙間を封止する図示しない封止部材が設けられる。
なお、吸気口１２に直接、フィルタおよびフィルタカバーを取り付けた状態で使用することもできるが、本実施形態では、これらのフィルタおよびフィルタカバーを取り外し、後述するフィルタユニット１０を取り付けた状態として使用する場合について説明する。
【００１７】
［光学ユニット４の構成］
図２は、光学ユニット４の概略構成を示す図である。
光学ユニット４は、図示しない制御装置による制御の下、画像光を形成してスクリーンに拡大投射する。この光学ユニット４は、図２に示すように、光源装置４１と、照明光学装置４２と、色分離光学装置４３と、リレー光学装置４４と、光学装置４５と、投射レンズ３とを備え、平面視略Ｌ字形状を有する。
【００１８】
光源装置４１は、照明光学装置４２に向けて光束を射出するものである。この光源装置４１は、光源装置本体４１１と、制御装置による制御の下、所定の駆動電圧で光源装置本体４１１を構成する光源ランプ４１１１を駆動（点灯）させる図示しない光源駆動部とを備える。
光源装置本体４１１は、図２に示すように、一対の電極間で放電発光が行われる光源ランプ４１１１と、主反射鏡４１１２と、平行化レンズ４１１３とを備える。
そして、光源ランプ４１１１から放射された光束は、主反射鏡４１１２により光源装置本体４１１の前方側に射出方向を揃えて集束光として射出され、平行化レンズ４１１３によって平行化され、照明光学装置４２に射出される。なお、図中のＡは、光源装置４１から投射レンズ３に至る光束の光軸を示している。
ここで、光源ランプ４１１１としては、ハロゲンランプやメタルハライドランプ、または高圧水銀ランプが多用される。また、主反射鏡４１１２としては、本実施形態では、楕円面リフレクタで構成しているが、光源ランプ４１１１から射出された光束を略平行化して反射するパラボラリフレクタとして構成してもよい。この場合には、平行化レンズ４１１３を省略する。
【００１９】
照明光学装置４２は、図２に示すように、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射して、偏光変換素子４２３にて略１種類の直線偏光光として射出される。偏光変換素子４２３から直線偏光光として射出され、重畳レンズ４２４を介した複数の部分光束は、光学装置４５の後述する３枚の液晶パネル上で重畳する。
【００２０】
色分離光学装置４３は、図２に示すように、２枚のダイクロイックミラー４３１，４３２、および反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図２に示すように、入射側レンズ４４１、リレーレンズ４４  ３、および反射ミラー４４２，４４４を備え、色分離光学装置４３で分離された色光、例えば、赤色光を光学装置４５の後述する赤色光側の液晶パネルまで導く機能を有する。
【００２１】
光学装置４５は、入射した光束を画像情報に応じて変調して画像光（カラー画像）を形成するものである。この光学装置４５は、図２に示すように、３つの液晶パネル４５１（赤色光側の液晶パネルを４５１Ｒ、緑色光側の液晶パネルを４５１Ｇ、青色光側の液晶パネルを４５１Ｂとする）と、各液晶パネル４５１の光路前段側に配置される入射側偏光板４５２と、各液晶パネル４５１の光路後段側に配置される射出側偏光板４５３と、色合成光学装置としてのクロスダイクロイックプリズム４５４とを備える。
【００２２】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの液晶パネル４５１は、一対の透明なガラス基板に電気光学物質である液晶が密閉封入された構成を有し、図示しない制御装置からの駆動信号に応じて、前記液晶の配向状態が制御され、入射側偏光板４５２から射出された偏光光束の偏光方向を変調する。
３つの射出側偏光板４５３は、入射側偏光板４５２と略同様の機能を有し、液晶パネル４５１を介して射出された光束のうち、一定方向の偏光光を透過し、その他の光束を吸収する。
【００２３】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され射出側偏光板４５３を介した各色光を反射する。このようにして、各色光が合成されてカラー画像が形成される。
投射レンズ３は、クロスダイクロイックプリズム４５４で形成されたカラー画像をスクリーンに拡大投射する。
【００２４】
［フィルタユニット１０の構成］
図３は、図１の状態に設置されたプロジェクタ１を下方から見た場合のフィルタユニット１０の分解斜視図である。
フィルタユニット１０は、外装ケース２の内部に吸い込まれる外部空気から塵埃等を除去するためのもので、第１濾過ユニットとしての第１フィルタユニット２０と、第２濾過ユニットとしての２つの第２フィルタユニット３０とを備えて構成されている。
【００２５】
第１フィルタユニット２０は、略直方体状に形成され、第１ダクト２１と、第１濾過体としての第１フィルタ２２と、第１フィルタカバー２３とを有して構成され、外部空気を第１フィルタ２２で濾過し、外装ケース２の吸気口１２まで案内するために設けられている。
【００２６】
第１ダクト２１は、長手方向に直交する断面形状が略正方形に形成された筒体であり、第１ダクト２１の両端部は開口している。
この第１ダクト２１の外装ケース２側とは反対側の一端には、外部空気を導入する第１導入口２４が形成され、外装ケース２側の他端には、第１排出口２５が形成されている。
第１導入口２４には、略正方形の板状に形成された第１フィルタ２２と、複数の吸気孔が形成された第１フィルタカバー２３とが取り付けられている。外部空気は、第１フィルタカバー２３の複数の吸気孔から第１ダクト２１内部に吸い込まれ、第１フィルタ２２を通って除塵されるようになっている。
【００２７】
第１ダクト２１は、外装ケース２の吸気口１２に嵌合した状態で固定される。具体的には、２本の止めねじ２９が、第１排出口２５の内周縁に形成されたねじ孔部２８にそれぞれ挿通され、外装ケース２の凹部１４内の２箇所に形成された雌ねじ部１３に螺合されている。第１ダクト２１内部に取り込まれた空気は、第１排出口２５から吸気口１２内に案内され、吸気口１２を通って外装ケース２内に導入されるようになっている。
なお、第１排出口２５側のねじ孔部２８は、本発明の固定部を構成し、当該第１排出口２５の略正方形状に形成された周縁における各辺の中央にそれぞれ設けられ、合計４箇所に設けられている。すなわち、ねじ孔部２８は、吸気口１２の中心軸１６回りに略９０度の回転対称位置に設けられている。一方、外装ケース２側の雌ねじ部１３は、４箇所のねじ孔部２８のうちの互いに対向する１組のねじ孔部２８に対応する位置に形成されている。このようにして、第１ダクト２１を吸気口１２の中心軸１６周りに略９０度毎に回転させた場合であっても、互いに対向するいずれか１組のねじ孔部２８と、雌ねじ部１３との互いの位置を合わせることが可能で、第１ダクト２１と外装ケース２とを連結させることができる。
【００２８】
また、第１ダクト２１には、第１連通口２６と、第１遮蔽部材２７とが設けられ、第１連通口２６によって、第１フィルタユニット２０の第１ダクト２１と、第２フィルタユニット３０の後述する第２ダクト３１とが連通される。
第１連通口２６は、第１ダクト２１の外周部分に形成され、外装ケース２の吸気口１２の中心軸１６に直交する方向に開口している。図３では、例えば、第１ダクト２１は、第１連通口２６が図中の上方を向くようにして、吸気口１２に連結されている。
第１遮蔽部材２７は、矩形平板状に形成され、第１連通口２６を開閉可能に構成されている。すなわち、第１遮蔽部材２７は、第１連通口２６の内部側の周縁部に軸支され、第１連通口２６を閉塞する閉位置、および第１ダクト２１の内部に回動して第１連通口２６を開放する開位置に回動自在に取り付けられている。なお、第１遮蔽部材２７は、図示しないコイルばね等の付勢手段によって、閉状態（第１連通口２６を閉塞する状態）となる方向に付勢されている。
【００２９】
第２フィルタユニット３０は、第１フィルタユニット２０の長手方向の寸法よりも短い寸法を有する中空状の略立方体状に形成され、第２ダクト３１と、第２濾過体としての第２フィルタ３２と、第２フィルタカバー３３とを有して構成される。第２フィルタユニット３０の第２ダクト３１は、第１フィルタユニット２０の第１ダクト２１に連結され、外部空気を第２フィルタ３２で濾過し、外部空気を第１ダクト２１まで案内するために設けられている。
【００３０】
図３に示すように、第２ダクト３１には、外部空気を取り込む略正方形状の第２導入口３４が形成されている。第２ダクト３１において第２導入口３４に隣接する面、すなわち図３において第１ダクト２１の第１連通口２６に対向する面には、第２導入口３４よりも小さい略正方形状の第２連通口３５が形成されている。また、第２ダクト３１において第２連通口３５とは対向する面には、第１ダクト２１の第１連通口２６および第１遮蔽部材２７と同様に、補助連通口３６および第２遮蔽部材３７が形成されている。
【００３１】
第２導入口３４には、第１フィルタ２２および第１フィルタカバー２３と同様に、第２フィルタ３２および第２フィルタカバー３３が取り付けられている。外部空気は、第２フィルタカバー３３に形成された複数の吸気孔から第２ダクト３１内部に吸い込まれ、第２フィルタ３２を通って除塵されるようになっている。
【００３２】
第２ダクト３１の第２連通口３５は、４つの係止部材３８と、２つの押圧部材３９とを有している。
係止部材３８は、第２連通口３５の外側の周縁部にそれぞれ突出して形成され、先端部が第１ダクト２１の第１連通口２６の周縁部と係止可能に形成されている。
押圧部材３９は、第１フィルタユニット２０と第２フィルタユニット３０とが連結された状態で、第１ダクト２１の第１遮蔽部材３７を押圧して開位置に回動させるためのものである。すなわち、押圧部材３９は第２連通口３５の外側の周縁部にそれぞれ突出して形成され、係止部材３８とは重ならない位置に設けられている。このような構成によって、第１フィルタユニット２０の第１遮蔽部材２７は、第１フィルタユニット２０と第２フィルタユニット３０とが連結された状態で、押圧部材３９によって回動され開いた状態となる。
【００３３】
第２ダクト３１の補助連通口３６には、他の第２フィルタユニット３０の第２ダクト３１が連結されている。第２フィルタユニット３０に他の第２フィルタユニット３０が連結されると、押圧部材３９によって第２フィルタユニット３０の第２遮蔽部材３７は開いた状態となる。この補助連通口３６を介して、第２フィルタユニット３０と他の第２フィルタユニット３０とが互いに連通する。また、図１に示すように、第１フィルタユニット２０に対して、２つの第２フィルタユニット３０を垂直上方に積み上げるように配置することによって、プロジェクタ１を天井から吊り下げて使用する場合に、フィルタユニット１０が邪魔にならないで済む。また、適宜、第２フィルタユニット３０の配設方向を変えることができ、プロジェクタ１の周囲空間を有効に利用することができる。
【００３４】
［フィルタユニット１０の連結方法］
図４および図５は、第１フィルタユニット２０の第１ダクト２１と第２フィルタユニット３０の第２ダクト３１との連結方法を示すもので、連結する前後の状態を示す断面図である。
図４および図５に示すように、第１フィルタユニット２０の第１連通口２６に、第２フィルタユニット３０の第２連通口３５を接近させると、第２フィルタユニット３０の押圧部材３９が、第１フィルタユニット２０の第１遮蔽部材２７を押し開き、第２フィルタユニット３０の内部空間と第１フィルタユニット２０の内部空間とが連通される。
また、第２フィルタユニット３０の係止部材３８が、第１フィルタユニット２０の第１連通口２６の周縁部に係止される。このようにして、第２フィルタユニット３０の第２ダクト３１が、第１フィルタユニット２０の第１ダクト２１に連結される。同様にして、他の第２フィルタユニット３０の第２ダクト３１が、第１ダクト２１に連結された第２ダクト３１に連結される。
各フィルタユニット２０，３０の各フィルタ２２，３２から吸い込まれた外部空気は、外装ケース２の吸気口１２へと導入される。すなわち、第２フィルタユニット３０の第２フィルタ２２から吸い込まれた外部空気は、第２ダクト３１および第１連通口２６を通して第１ダクト２１内の外部空気に合流される。また、他の第２フィルタユニット３０の第２フィルタ２２から吸い込まれた外部空気は、第２ダクト３１および補助連通口３６を通して第２ダクト３１内の外部空気に合流される。
【００３５】
［フィルタ面積の調整方法］
第２フィルタユニット３０の第２ダクト３１が、第１フィルタユニット２０の第１ダクト２１に連結可能に設けられるとともに、他の第２フィルタユニット３０の第２ダクト３１とも連結可能に設けられているので、各フィルタ２２，３２の面積の合計値を以下のように変更することができる。
第１の調整方法として、吸気口１２に第１ダクト２１を連結し、第１ダクト２１に第２ダクト３１を連結させない状態とする。このようにすれば、フィルタ面積の合計値は、第１フィルタ２２の面積（面積Ａ）となる。
第２の調整方法として、吸気口１２に第１ダクト２１を連結し、第１ダクト２１に第２ダクト３１を連結する。このようにすれば、フィルタ面積の合計値は、第１フィルタ２２の面積と第２フィルタ３２の面積との合計の面積（面積Ｂ）となる。
第３の調整方法として、吸気口１２に第１ダクト２１を連結し、第１ダクト２１に第２ダクト３１を連結し、さらに、第２ダクト３１に他の第２フィルタユニット３０の第２ダクト３１を連結する。このようにすれば、フィルタ面積の合計値は、第１フィルタ２２の面積と２つの第２フィルタ３２の各面積との合計の面積（面積Ｃ）となる。
さらに、必要に応じて、第２ダクト３１に他の第２ダクト３１を繰り返し連結すれば、第２ダクト３１の連結数量に応じたフィルタ面積とすることができる。
このように、第１ダクト２１に連結する第２ダクト３１の数量を変更することによってフィルタ面積を適宜調整することができる。
【００３６】
［本実施形態による効果］
本実施形態によれば、次のような効果を奏することができる。
（１）連結する第２ダクト３１の数量を増やすだけで、容易に、各フィルタ２２，３２の面積の合計値を増やすことができるので、空気中の塵埃等の濃度条件に対応したフィルタの面積を使用者が適宜選択することができる。従って、各フィルタ２２，３２の掃除の頻度を十分に低減させることができ、使用者の負担を軽減できる。特に、プロジェクタ１が部屋の天井等に設置されている場合における使用者への大きな負担を小さくでき、使い勝手を向上させることができる。
【００３７】
（２）第１ダクト２１が吸気口１２の中心軸１６周りに略９０度毎に回転させた状態で連結可能に設けられているので、第１ダクト２１に対する第２ダクト３１の連結方向を、外装ケース２の側面１５に沿って、吸気口１２から正面側、上面側、背面側、下面側の４方向のいずれかの方向に配設させることができる。従って、プロジェクタ１の取り付け状態に応じた最適な第２フィルタユニット３０の配設方向を４方向から選択することができ、プロジェクタ１の周囲空間を有効に利用できる。
【００３８】
（３）第２ダクト３１には、第２ダクト３１が第１連通口２６または他の第２ダクト３１の補助連通口３６に取り付けられた状態で、第１遮蔽部材２７または第２遮蔽部材３７をそれぞれのダクト２１，３１の内部に回動させる押圧部材３９が形成されているので、第１ダクト２１または他の第２ダクト３１と、第２ダクト３１とを連結させるだけで、第１遮蔽部材２７または第２遮蔽部材３７を開状態とすることができる。従って、第１ダクト２１と第２ダクト３１との連結作業および第２ダクト３１同士の連結作業を容易にすることができる。
【００３９】
（４）第１ダクト２１に第２ダクト３１が連結されていない状態では、第１連通口２６は第１遮蔽部材２７によって閉塞され、第２ダクト３１に他の第２ダクト３１が連結されていない状態では、補助連通口３６は第２遮蔽部材３７によって閉塞されているので、塵埃が第１ダクト２１の内部および第２ダクト３１の内部に侵入するのを防止できる。
【００４０】
［本発明の変形例］
なお、本発明は前述の実施形態に限定されるものではなく、本発明の目的を達成できる範囲での変形、改良等は本発明に含まれるものである。
例えば、前記実施形態では、第２フィルタユニットは、２個設けられているが、１個でもよく、あるいは３個以上でもよい。
前記実施形態では、第１フィルタと第２フィルタの面積は、同じにしたが、異なっていてもよい。また、第１フィルタと第２フィルタの材質、除塵性能は設置環境に合わせ、同じでも、変更してもよい。
【００４１】
前記実施形態では、第１遮蔽部材は、第１ダクトに対して第１連通口を閉塞する閉位置および開放する開位置に移動自在もしくは回動自在に設けられていると説明したが、例えば、第１ダクトに対して取り外し可能に設けられ、第１濾過ユニットに第２濾過ユニットが連結される際に、取り外されるようになっていてもよい。また、第２遮蔽部材についても、同様に、第２ダクトに対して取り外し可能に設けられ、第２濾過ユニットに他の第２濾過ユニットが連結される際に、取り外されるようになっていてもよい。
【００４２】
前記実施形態では、第１フィルタユニットと第２フィルタユニットとは、互いに異なる形状のフィルタユニットとして説明したが、本発明の第１濾過ユニットおよび第２濾過ユニットとしては、共通の濾過ユニットであってもよい。
前記実施形態では、第１ダクト２１が外装ケース２の吸気口１２に対して当該第１ダクト２１を略９０度毎に回転させた状態でも取り付け可能に構成されていると説明したが、本発明の第１ダクトとしては、吸気口の中心軸周りに９０度以外の角度毎に取り付け可能であってもよく、あるいは、任意の角度に回転させた状態でも取り付け可能であってもよい。
【００４３】
前記実施形態では、天吊り式のプロジェクタを用いて説明したが、本発明のプロジェクタとしては、天吊り式に限らず、テーブル載置式で使用されるプロジェクタでもよい。また、本発明の電子機器としては、前記実施形態のプロジェクタに限らず、例えば、テレビジョン受信装置、ビデオ再生装置等でもよい。
【００４４】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていた  が、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
前記実施形態では、プロジェクタ１は、スクリーンを観察する方向から画像投射を行うフロントタイプのプロジェクタとしていたが、本発明のプロジェクタは、スクリーンを観察する方向とは反対側から画像投射を行うリアタイプのプロジェクタとしても構わない。
【図面の簡単な説明】
【００４５】
【図１】本発明の一実施形態に係る電子機器としてのプロジェクタを示す正面図。
【図２】前記プロジェクタの光学ユニットの光学系を模式的に示す図。
【図３】前記プロジェクタの濾過ユニットを示す分解斜視図。
【図４】前記プロジェクタの濾過ユニットの連結方法を説明するための断面図。
【図５】前記プロジェクタの濾過ユニットの連結方法を説明するための断面図。
【符号の説明】
【００４６】
１…プロジェクタ（電子機器）、２…外装ケース（外装筐体）、３…投射レンズ（投射光学装置）、１２…吸気口、１６…吸気口の中心軸、２０…第１フィルタユニット（第１濾過ユニット）、２１…第１ダクト、２２…第１フィルタ（第１濾過体）、２６…第１連通口、２７…第１遮蔽部材、２８…ねじ孔部（固定部）、３０…第２フィルタユニット（第２濾過ユニット）、３１…第２ダクト、３２…第２フィルタ（第２濾過体）、３５…第２連通口、３６…補助連通口、３７…第２遮蔽部材、３９…押圧部材、４５１，４５１Ｂ，４５１Ｇ，４５１Ｒ…液晶パネル（光変調装置）、４１１１…光源ランプ（光源）。
【図１】
2009025771.tif 000003
【図２】
2009025771.tif 000004
【図３】
2009025771.tif 000005
【図４】
2009025771.tif 000006
【図５】
2009025771.tif 000007